(57)【特許請求の範囲】
【請求項１】
レーザ光を出射するレーザダイオードと、
上記光ディスクの中心を通る半径上にある第１の移動軸線上に配置され、上記レーザ光を集光して光ディスクに照射する第1の対物レンズと、
上記第１の移動軸線と平行な第２の移動軸線上に配置され、上記レーザ光を集光して光ディスクに照射する第２の対物レンズと、
上記第１の移動軸線上及び上記第２の移動軸線上を移動させることにより上記第１の対物レンズ及び上記第２の対物レンズを上記光ディスクの所定の照射位置に移動させる移動部と
を具え、
上記第２の対物レンズを介して読み出した再生信号の品質が上記光ディスクの最外周部のトラック上において最適になるように、トラックの接線と当該第２の対物レンズから照射される上記レーザ光のスポットの鉛直方向軸線との成す角度に基づいて上記スポットの傾斜角度を選定する
光ピックアップ。
【請求項２】
上記スポットは、
上記光ディスクのトラックに対する接線であるトラック接線方向のスポット幅が、上記光ディスクの内周部のトラック上よりも外周部のトラック上において小さくなるように上記スポットの傾斜角度が選定された
請求項１に記載の光ピックアップ。
【請求項３】
上記スポットは、
上記レーザダイオードを傾斜させることにより選定された傾斜角度に傾斜される
請求項１に記載の光ピックアップ。
【請求項４】
上記スポットは、
上記レーザダイオード及び上記第２の対物レンズの間に設けられた光路によって選定された傾斜角度に傾斜される
請求項１に記載の光ピックアップ。
【請求項５】
レーザ光を出射するレーザダイオードと、
上記光ディスクの中心を通る半径上にある第１の移動軸線上に配置され、上記レーザ光を集光して光ディスクに照射する第1の対物レンズと、
上記第１の移動軸線と平行な第２の移動軸線上に配置され、上記レーザ光を集光して光ディスクに照射する第２の対物レンズと、
上記第１の移動軸線上及び上記第２の移動軸線上を移動させることにより上記第１の対物レンズ及び上記第２の対物レンズを上記光ディスクの所定の照射位置に移動させる移動部と
を具え、
上記第２の対物レンズを介して読み出した再生信号の品質が上記光ディスクの最外周部のトラックにおいて最適になるように、トラックの接線と当該第２の対物レンズから照射される上記レーザ光のスポットの鉛直方向軸線との成す角度に基づいて上記スポットの傾斜角度を選定する
光ディスク装置。
【発明の詳細な説明】
【技術分野】
【０００１】
本発明は、光ピックアップ及び光ディスク装置に関し、例えばＣＤ（Compact Disc）やＤＶＤ（Digital Versatile Disc）等の複数種類の光ディスクに対応した光ディスクドライブに適用して好適なものである。
【背景技術】
【０００２】
近年、記録媒体である光ディスクの種類が多様化しており、その記録密度やカバー厚み等の相違により種々のタイプの光ディスクが開発されている。このような光ディスクとして、ＣＤ、ＤＶＤ、ブルーレイディスク（Blu-ray Disc）等が存在する。
【０００３】
このような多様化した光ディスクに対応して、複数種類の光ディスクに対応した光ディスクドライブが存在する。このような光ディスクドライブにおいては、一つの光ピックアップによって当該複数種類の光ディスクに記録されたデータの読取を実行するようになされている。
【０００４】
このような光ピックアップでは、必要に応じて２つの対物レンズを使用する。ここで、例えば図１２に示すように、当該２つの対物レンズである第１対物レンズ１及び第２対物レンズ２を光ピックアップ４の移動方向（光ディスク３の半径方向）であるＸ方向に対して平行に併置した場合、内周側の第１対物レンズ１を当該光ディスク３における最外周のトラック上に移動させたり、外周側の第２対物レンズ２を当該光ディスク３における最内周のトラック上に移動させるためには、当該光ピックアップ４を大きく移動しなければならないため、光ピックアップ４のガイド軸が長くなることによる振動増大や移動スペースの確保といった問題が生じる。このため図１３に示す光ピックアップ８のように、第１対物レンズ６及び第２対物レンズ７を上記Ｘ方向に対して直角になるように併置したものが提案されている。（例えば、特許文献１参照）。
【特許文献１】特開平１１−２５０４７９号公報
【発明の開示】
【発明が解決しようとする課題】
【０００５】
ところでかかる構成の光ピックアップ８においては、第１対物レンズ６を光ディスク３の半径上となる回転中心３Ａを通るＸ方向の第１の移動軸線ＭＬ１上に配置すると共に、第２対物レンズ７を当該第１の移動軸線ＭＬ１と平行な第２の移動軸線ＭＬ２上に配置する。この第２の移動軸線ＭＬ２は、当該光ディスク３の半径上にないため、この第２の移動軸線ＭＬ２上ではデータが記録されたトラックに対するトラック接線と、Ｘ方向に対して垂直なＹ方向との成す角であるトラック接線角度が、当該回転中心３Ａからの距離に応じて変化する。このような光ピックアップが搭載された光ディスクドライブでは、この第２対物レンズ７を用いて光ディスク３のトラックに記録されたデータを読み取る際、このトラック接線角度の変化に起因して再生ＲＦ信号の品質低下を生じさせてしまう。
【０００６】
一方、反り等の影響がその外周部で顕著になるという光ディスク３の一般的な性質のため、内周部のデータを読み出す場合と比較して、外周部のデータを読み出す場合に再生ＲＦ信号の品質が低下しまうことが知られている。このため、この光ディスクドライブでは、第２対物レンズを用いた場合の光ディスク３の外周部における再生ＲＦ信号の品質が他の部分と比較して大きく低下してしまうという問題があった。
【０００７】
本発明は以上の点を考慮してなされたもので、光ディスクの外周部における再生ＲＦ信号の品質低下を抑制する光ピックアップ及び光ディスク装置を提案しようとするものである。
【課題を解決するための手段】
【０００８】
かかる課題を解決するため本発明の光ピックアップ及び光ディスクドライブにおいては、レーザ光を出射するレーザダイオードと、光ディスクの中心を通る半径上にある第１の移動軸線上に配置され、レーザ光を集光して光ディスクに照射する第1の対物レンズと、第１の移動軸線と平行な第２の移動軸線上に配置され、レーザ光を集光して光ディスクに照射する第２の対物レンズと、第１の移動軸線上及び第２の移動軸線上を移動させることにより第１の対物レンズ及び第２の対物レンズを光ディスクの所定の照射位置に移動させる移動部とを設け、第２の対物レンズを介して読み出した再生信号の品質が光ディスクの最外周部のトラックにおいて最適になるように、トラックの接線と当該第２の対物レンズから照射されるレーザ光のスポットの鉛直方向軸線との成す角度に基づいてスポットの傾斜角度を選定するようにした。
【０００９】
これにより、光ディスクの反りが大きくなる外周部において、再生信号の品質を最適にすることができ、当該外周部におけるスポットの傾斜角度を起因とする再生信号の品質低下を最小限に留めることができる。
【発明の効果】
【００１０】
本発明によれば、光ディスクの反りが大きくなる外周部において、再生信号の品質を最適にすることにより、当該外周部におけるスポットの傾斜角度を起因とする再生信号の品質低下を最小限に留めることができ、かくして光ディスクの外周部における再生信号の品質低下を抑制する光ピックアップ及び光ディスク装置を実現できる。
【発明を実施するための最良の形態】
【００１１】
以下、図面について、本発明の一実施の形態を詳述する。
【００１２】
（１）光ディスクドライブの全体構成
図１において、１０は全体として光ディスクドライブを示し、制御部１２が光ディスクドライブ１０の各部を制御するようになされている。
【００１３】
すなわち制御部１２は、サーボ回路１３を介してスピンドルモータ１４を回転させ、ターンテーブル（図示せず）に載置された光ディスク６０を回転駆動する。また制御部１２は、サーボ回路１３を介して送りモータ１５を回転させ、ガイド軸１７に沿って光ピックアップ１６を光ディスク６０の半径方向に移動させる。さらに制御部１２は信号処理部１８を制御し、光ディスク６０に対するデータの読出及び書込を実行させる。
【００１４】
これに加えて制御部１２は光ピックアップ１６のレンズ駆動装置を制御し、当該光ピックアップ１６の対物レンズをトラッキング方向及びフォーカス方向に駆動する。
【００１５】
図２は光ピックアップ１６の構成を示している。この光ピックアップ１６は、ＣＤ（Compact Disc）、ＤＶＤ（Digital Versatile Disc）及びブルーレイディスク（Blu-ray Disc）の３種類の光ディスク６０（ＣＤ／ＤＶＤ（ＣＤ又はＤＶＤ）６０Ａ及びブルーレイディスク６０Ｂ）に対応しており、ＣＤ及びＤＶＤのアクセス時に使用されるレーザダイオード２０Ａ及びブルーレイディスク６０Ｂ用のレーザダイオード２０Ｂを有している。
【００１６】
ＣＤ／ＤＶＤ６０Ａに対してアクセスする場合、レーザダイオード２０Ａは、信号処理部１８（図１）から供給される駆動電流に応じてレーザ光を発光し、その中央部分である光ビーム４０Ａをビームスプリッタ２３へ入射する。ビームスプリッタ２３はレーザダイオード２０Ａから入射された光ビーム４０Ａをそのまま透過させ、ビームスプリッタ２４とコリメータレンズ２５とを介してビームスプリッタ２６へ入射する。
【００１７】
ビームスプリッタ２６は、入射された光ビーム４０Ａを反射し、その方向を９０°変化させ、当該光ビーム４０Ａを１／２波長板２７を介して第１対物レンズ３０Ａに入射する。そして第１対物レンズ３０Ａは、光ビーム４０Ａを集光しＣＤ／ＤＶＤ６０Ａに照射する。また第１対物レンズ３０Ａは、光ビーム４０ＡがＣＤ／ＤＶＤ６０Ａによって反射されてなる反射光ビーム５０Ａを受光し、１／２波長板２７を介してビームスプリッタ２６に入射する。
【００１８】
ビームスプリッタ２６は入射された反射光ビーム５０Ａを反射し、その方向を９０度変化させ、当該反射光ビーム５０Ａをコリメータレンズ２５とビームスプリッタ２４とシリンドリカルレンズ３２とを介してフォトディテクタ３３に入射する。そして、フォトディテクタ３３は反射光ビーム５０Ａを光電変換して再生ＲＦ信号を生成し、信号処理部１８(図１)に供給するようになされている。
【００１９】
同様にブルーレイディスク６０Ｂにアクセスする場合、レーザダイオード２０Ｂは、レーザダイオード２０Ａから発射される光ビーム４０Ａに対して垂直方向からレーザ光を発光し、その中央部分である光ビーム４０Ｂをビームスプリッタ２３へ入射する。そしてビームスプリッタ２３は、当該光ビーム４０Ｂを反射してその方向を９０°変化させ、ビームスプリッタ２４とコリメータレンズ２５とを介して当該光ビーム４０Ｂをビームスプリッタ２６へ入射する。
【００２０】
ビームスプリッタ２６は、光ビーム４０Ｂを透過させ、ミラー２８と１／２波長板２９とを介して第２対物レンズ３０Ｂに入射する。そして第２対物レンズ３０Ｂは、光ビーム４０Ｂを集光しブルーレイディスク６０Ｂに照射する。また、第２対物レンズ３０Ｂは、光ビーム４０Ｂがブルーレイディスク６０Ｂによって反射されてなる反射光ビーム５０Ｂを受光し、１／２波長板２９とミラー２８とを介してビームスプリッタ２６に入射する。
【００２１】
ビームスプリッタ２６は入射された反射光ビーム５０Ｂを透過させ、コリメータレンズ２５とビームスプリッタ２４とシリンドリカルレンズ３２とを介してフォトディテクタ３３に入射する。そして、フォトディテクタ３３は反射光ビーム５０Ｂを光電変換して再生ＲＦ信号を生成し、信号処理部１８(図１)に供給するようになされている。
【００２２】
（２）設置角度とスポット形状
この光ピックアップ１６では、レーザダイオード２０Ａ及び２０Ｂの光軸周りの設置角度ＥＡ（ＥＡａ、ＥＡｂ）を適切に設置することにより、光ビーム４０Ａ及び４０Ｂが光ディスク６０に対して照射されたときの光ビーム４０のスポット形状を調整し、再生ＲＦ信号の品質を最適化するようになされている。次に、このレーザダイオード２０Ａ及び２０Ｂの設置角度ＥＡとスポット形状について説明する。
【００２３】
図３（Ａ）に示すように、レーザダイオード２０（２０Ａ及び２０Ｂ）から発射されるレーザ光の光束は、楕円形状を有しており、このため水平方向の放射角θ//と及び鉛直方向の放射角θ⊥とは大きく異なっている。光ピックアップ１６では、このレーザ光のうち中央部分のみが使用され、光ビーム４０（４０Ａ及び４０Ｂ）としてビームスプリッタ２３に入射されるようになされている。
【００２４】
なお、図３においては、光ビーム４０のθ⊥方向が鉛直に、θ//方向が水平に発射されるようにレーザダイオード２０が設置された（設置角度ＥＡ＝０°）ときの光ビーム４０におけるθ//方向をＸ方向、θ⊥方向をＹ方向として説明する。以下、特に断書がない限り、以降の図面についても同様に説明する。また、傾斜及び回転の方向については原則時計回りとする。
【００２５】
このとき、レーザダイオード２０から発射されたレーザ光は、その中央部分がほぼ真円状に光ビーム４０として使用される。従って、図４（Ａ）及び（Ｂ）に示すように、当該光ビーム４０における端部の光強度（以下、これを瞳端強度と呼ぶ）ＲＩは、θ⊥方向において大きく、θ//方向において小さくなる。
【００２６】
一般的に、光ビームにおける瞳端強度ＲＩが大きいと光ディスク上に照射される光ビームのスポットサイズは小さくなり、瞳端強度ＲＩが小さいとスポットサイズが大きくなることが知られている。従って、図３（Ｂ）に示すように、レーザダイオード２０から発射される光ビーム４０が光ディスク６０上に照射されたときのスポットＳＰの形状は、θ⊥方向に短く、θ//方向に長い楕円形状になる。
【００２７】
そして、図５（Ａ）に示すように、このレーザダイオード２０の設置角度ＥＡが例えば２０°に設定された場合、当該レーザダイオード２０から発射される光ビーム４０が光ディスク６０上に照射されたときのスポットＳＰの形状は、図５（Ｂ）に示すように、当該スポットＳＰにおけるθ⊥方向及びθ//方向に引いた軸であるθ⊥軸及びθ//軸が、それぞれレーザダイオード２０の設置角度ＥＡ＝２０°と同じ傾斜角度ＳＡ＝２０°だけ傾斜した形状となる。
【００２８】
光ピックアップ１６においては、レーザダイオード２０における設置角度ＥＡを適切に設定することにより、光ビーム４０が光ディスク６０上に照射された際のスポットを傾斜角度ＳＡだけ傾けるようになされている。光ピックアップ１６においては、光源であるレーザダイオード２０Ａ及び２０Ｂ（図２）がそれぞれ独立していることから、当該レーザダイオード２０Ａ及び２０Ｂをそれぞれ独立した設置角度ＥＡ（ＥＡａ、ＥＡｂ）だけ回転させることにより、対応するスポットＳＰ（ＳＰ１、ＳＰ２）をそれぞれ独立した傾斜角度ＳＡ（ＳＡａ、ＳＡｂ）だけ傾けることが可能である。
【００２９】
（３）傾斜角度ＳＡａ及びＳＡｂの選定
次に、この傾斜角度ＳＡの選定方法について説明する。図６（Ａ）に示すように、光ディスクドライブ１０では、光ディスク６０の半径方向であるＸ方向に平行に２本のガイド軸１７が設置されており、この２本のガイド軸１７に沿って移動可能なように光ピックアップ１６が設置されている。
【００３０】
この光ピックアップ１６では、第１対物レンズ３０Ａ及び第２対物レンズ３０Ｂが上述したＸ方向に対して直角なＹ方向に並列配置されている。そして、光ピックアップ１６では、光ディスク６０の回転中心６０ｃを通る半径上の第１の移動軸線ＭＬ１上に第１対物レンズ３０Ａの中心が配置（図６（Ｂ））されることにより、当該第１対物レンズ３０Ａを光ディスク３の半径上で移動させる。
【００３１】
また、図６（Ｂ）に示したように、光ピックアップ１６では、第１の移動軸線ＭＬ１に対して平行な半径上から外れた第２の移動軸線ＭＬ２上に第２対物レンズ３０Ｂの中心が配置される。このときの第１対物レンズ３０Ａと第２対物レンズ３０Ｂとの間隔（以下、これを対物レンズオフセットと呼ぶ）ＤＦは、４〔ｍｍ〕である。
【００３２】
ここで、図７に示すように、第１の移動軸線ＭＬ１上において、データが記録されたトラックに対して引いた接線（以下、これをトラック接線と呼ぶ）ＴＬのＹ方向に対する角度であるトラック接線角度θは、スポットＳＰ１が照射される照射位置に拘らず常に０°で一定である。
【００３３】
従って、図８に示すように、光ピックアップ１６は、レーザダイオード２０Ａを設置角度ＥＡａに設定することにより、光ディスク６０におけるスポットＳＰ１の照射位置に拘らず、第１の移動軸線ＭＬ１上のスポットＳＰ１をトラック接線ＴＬに対して常に一定の傾斜角度ＳＡａにすることができる。このため、この傾斜角度ＳＡａは、第１の移動軸線ＭＬ１上のいずれかの一つの照射位置において再生ＲＦ信号の品質が良好になる角度に選定されている。
【００３４】
具体的には、この傾斜角度ＳＡａは、光ビーム４０ＡにおけるスポットＳＰ１の大きさや光ディスク６０における隣接トラック間の距離等を考慮した上で、再生ＲＦ信号において最もジッタが少なくなる角度に選定される。因みに、本実施の形態における光ピックアップ１６におけるレーザダイオード２０Ａの傾斜角度ＳＡａは２０°である。
【００３５】
これにより、光ピックアップ１６では、スポットＳＰ１の最小径部分であるθ⊥軸及び最大径部分であるθ//軸を傾斜角度ＳＡａに応じて傾けることができるため、Ｘ方向及びＹ方向に対するスポットＳＰ１のスポット幅を調整でき、照射トラックの隣接トラックに対してスポットＳＰ１がかかることを防止したり、照射位置の前後のマークによる干渉を防止することができる。この結果、光ピックアップ１６では、第１対物レンズ３０Ａを介して反射光５０からジッタの少ない高精度な再生ＲＦ信号を信号処理部１８に送出し得るようになされている。
【００３６】
これに対して、半径上にない第２の移動軸線ＭＬ上におけるトラック接線角度θがスポットＳＰ２の照射位置によって変化するのに伴い、当該スポットＳＰ２における最適な傾斜角度ＳＡｂは当該照射位置に応じて変化する。
【００３７】
このため、本実施の形態による光ピックアップ１６においては、光ディスク６０の当該第１の移動軸線ＭＬ１上にない第２対物レンズ３０Ｂから照射されるスポットＳＰ２の照射位置が当該光ディスク６０の最外周にあるときに、当該スポットＳＰ２の傾斜角度ＳＡｂが最適になるように当該傾斜角度ＳＡｂを選定するようになされている。次に、かかる傾斜角度ＳＡｂについて説明する。
【００３８】
図７に示したように、第１の移動軸線ＭＬ１に対して平行な第２の移動軸線ＭＬ２におけるトラック接線角度θは、スポットＳＰ２の照射位置に応じて変化し、光ディスク６０の最外周に近づくほど０°に近づく一方、最内周に近づくほど大きくなる。
【００３９】
ここで、光ディスク６０の回転中心６０ｃからの光ピックアップ１６の移動量をピックアップ移動量ＲＡ（図６（Ａ））とするとき、トラック接線角度θは、当該ピックアップ移動量ＲＡと、対物レンズオフセットＤＦとの関係によって、次式のように表される。
【００４０】
【数１】
0004687974.tif 000002
【００４１】
従って、図８に示したように、光ビーム４０ＢのスポットＳＰ２におけるθ⊥軸とトラック接線ＴＬとの成す角度であるフィル角ξは、スポットＳＰ２の照射位置におけるピックアップ移動量ＲＡに応じて変化する。
【００４２】
図９に示すように、このフィル角ξは、トラック接線角度θと傾斜角度ＳＡｂとの和として、以下の数式によって表される。  
【００４３】
【数２】
0004687974.tif 000003
【００４４】
傾斜角度ＳＡｂはレーザダイオード２０Ｂの設置角度ＥＡｂによって決定される定数値であるため、フィル角ξはトラック接線角度θに応じて、すなわち光ディスク６０におけるスポットＳＰ２の照射位置におけるピックアップ移動量ＲＡに応じて変化し、内周のトラックへ行くほど大きくなり、外周のトラックへ行くほど小さくなることが分かる。
【００４５】
このフィル角ξは、小さい（０°に近い）ほどスポットＳＰ２のトラック接線方向におけるスポット幅が絞れるため、再生ＲＦ信号の精度を向上させることができる一方で、トラック法線方向におけるスポット幅が大きくなるため、スポットＳＰ２が隣接トラックにまでかかってしまい、クロストークが大きくなってしまう。
【００４６】
一方で、フィル角ξが大きい（９０°に近い）ほどスポットＳＰ２のトラック接線方向におけるスポット幅が大きくなるため、再生ＲＦ信号の精度を低下させてしまう一方で、トラック法線方向におけるスポット幅が小さくなるため、スポットＳＰ２が隣接トラックにかからず、クロストークを減少させることができる。従って、光ピックアップ１６では、トラック接線方向及びトラック法線方向の双方におけるスポット幅を考慮しながら最適フィル角ξａを決定する必要がある。
【００４７】
ところで、光ディスク６０は薄い円板状でなることから、一般的な性質として反りを有しており、この反りによる記録面の変位は、外周程大きくなる。光ピックアップ１６では、スポットＳＰ２の照射位置が、反りの大きい当該光ディスク６０の外周部に移行したときほどその影響を大きく受けるため、当該光ディスク６０の内周部を読み出す場合と比較して、外周部を読み出した場合の再生ＲＦ信号の品質が低下してしまう。
【００４８】
このため本実施の形態においては、最外周のトラックにおいて再生ＲＦ信号の品質が最も高くなる最適フィル角ξａに基づいて、スポットＳＰ２の傾斜角度ＳＡｂを選定するようになされている。
【００４９】
具体的には、第２対物レンズ３０Ｂから照射されるスポットＳＰ２の照射位置を最外周のトラック上に固定した状態で、当該スポットＳＰ２におけるフィル角ξが０°から徐々に大きくなるように、レーザダイオード２０Ｂの設置角度ＥＡｂを変化させていく。そして、再生ＲＦ信号においてジッタが最も小さくなったときの角度を最適フィル角ξａとして求め、この最適フィル角ξａからトラック接線角度θだけ引いた差分を光ビーム４０Ｂの傾斜角度ＳＡｂとして選定するようになされている。
【００５０】
例えば、最適フィル角ξａが２０°、最外周における接線角度θが３．９°であった場合、傾斜角度ＳＡｂは１６．１°に選定される。
【００５１】
そして、光ピックアップ１６では、レーザダイオード２０Ｂを傾斜角度ＳＡｂと同じ設置角度ＥＡｂ＝１６．１°だけ光軸周りに回転させて設置することにより、光ディスク６０におけるスポットＳＰ２の照射位置が最外周のトラック上にあるときに、最もジッタの少なくなる最適フィル角ξａ＝２０°にすることができるようになされている。
【００５２】
これにより、光ピックアップ１６では、光ディスク６０の反りが最も大きくなる光ディスク６０の最外周のトラック上において、再生ＲＦ信号におけるジッタを最も小さくし得、反りに起因してジッタが大きくなる当該光ディスク６０の外周部において、さらにフィル角ξが最適フィル角ξａからずれることに起因する信号品質の低下を抑制するようになされている。
【００５３】
ここで、上述したように、光ビーム４０Ｂにおける瞳端強度ＲＩは、θ⊥方向において大きく、θ//方向において小さくなる。スポットＳＰ２におけるフィル角ξは、トラック接線ＴＬとθ⊥軸との成す角度であるため、このフィル角ξが変化することは、当該光ビーム４０Ｂにおけるθ⊥軸及びθ//軸のトラック接線ＴＬに対する角度が変化することを意味し、このとき光ディスク６０上のトラック接線方向の瞳端強度ＲＩｔ及びトラック法線方向の瞳端強度ＲＩｒは、このフィル角ξに応じて変化する。すなわち、この瞳端強度ＲＩｔ及びＲＩｒが変化したということは、スポットＳＰ２におけるフィル角ξが変化したことを表している。
【００５４】
図１０及び図１１に、傾斜角度ＳＡｂを固定した場合の、光ディスク６０上に照射されたスポットＳＰ２の照射位置におけるピックアップ移動量ＲＡと、トラック接線方向の瞳端強度ＲＩｔ及びトラック法線方向の瞳短強度ＲＩｒとの関係についてのシミュレーション結果をグラフとして示す。なお、図１０ではスポットＳＰ２の傾斜角度ＳＡｂを１３０°に設定した場合、図１１ではスポットＳＰ２の傾斜角度ＳＡｂを４０°に設定した場合のシミュレーション結果を表している。
【００５５】
このシミュレーション結果から、傾斜角度ＳＡｂ＝１３０°に固定された場合、照射位置が光ディスク６０の外周部へ移動（ピックアップ移動量ＲＡが増加）するにつれて、トラック接線方向の瞳端強度ＲＩｔ（図１１（Ａ））は小さくなる一方、トラック法線方向の瞳端強度ＲＩｒ（図１１（Ｂ））は大きくなる。
【００５６】
一方で、傾斜角度ＳＡｂ＝４０°に固定された場合、照射位置が光ディスク６０の外周部へ移動（ピックアップ移動量ＲＡが増加）するにつれて、トラック接線方向の瞳端強度ＲＩｔ（図１０（Ａ））は大きくなる一方、トラック法線方向の瞳端強度ＲＩｒ（図１０（Ｂ））は小さくなる。
【００５７】
このような、外周側でトラック接線方向における瞳端強度ＲＩｔが大きくなる傾向はフィル角ξが０〜９０°の場合に同様に認められる。
【００５８】
従って、光ピックアップ１６においては、光ディスク６０における最外周のトラック上において第２対物レンズ３０Ｂが光ビーム４０Ｂを照射する照射位置に合わせてこのフィル角ξが外周部において最適になるように、次式を満たすように最適フィル角ξａを決定するようになされている。
【００５９】
【数３】
0004687974.tif 000004
【００６０】
すなわち、光ピックアップ１６では、最適フィル角ξａ≦９０°にすることにより、照射位置が光ディスク６０の外周部へ行く程トラック接線方向における瞳端強度ＲＩｔを大きくできるため、当該光ディスク６０の外周部へ行く程トラック接線方向のスポット幅を小さくすることができ、最適フィル角ξａ＞９０°とした場合と比較して再生ＲＦ信号の精度を向上させることができるようになされている。
【００６１】
このため、光ピックアップ１６では、（３）式を満たすような最適フィル角ξａに基づいて傾斜角度ＳＡｂを選定することにより、さらに光ディスク６０の外周側における再生ＲＦ信号の精度を向上させることができ、光ディスク６０の外周部における再生ＲＦ信号のジッタを小さくし得るようになされている。
【００６２】
（４）動作及び効果
以上の構成において、本発明の光ピックアップ１６では、光ディスク６０の半径上にない第２の移動軸線ＭＬ２上を移動する第２対物レンズ３０Ｂから光ディスク６０の外周部である最外周のトラック上にスポットＳＰ２を照射したときに、スポットＳＰ２のθ⊥軸とトラック接線ＴＬとの成す角であるフィル角ξを、再生ＲＦ信号のジッタが最も少なくなるような最適フィル角ξａに決定し、当該最適フィル角ξａから当該最外周のトラックにおけるトラック接線角度θを引いた差分を傾斜角度ＳＡｂとして選定することにより、再生信号の品質が当該光ディスク６０の外周部において最適になるように第２の移動軸ＭＬ２と当該スポットＳＰ２との成す角度である傾斜角度ＳＡｂを選定する。
【００６３】
これにより、光ピックアップ１６では、最外周のトラック上において光ビーム４０ＢのスポットＳＰ２のフィル角ξを隣接トラック及び前後マークとの関係において再生ＲＦ信号のジッタが最も小さくなる最適フィル角ξａに設定することができ、照射位置の外周部への移行に伴って光ディスク６０の反りを起因とする再生ＲＦ信号のジッタが大きくなるのに対し、照射位置の内周部への移行に伴って当該フィル角ξに起因するジッタが大きくなるようにすることができ、反りによるジッタの大きい部分にはフィル角ξによるジッタの小さい部分が加算され、反りによるジッタの小さい部分にはフィル角ξによるジッタの大きい部分がそれぞれ加算されることにより、再生ＲＦ信号のジッタをいわば均等化し得るため、第２の移動軸線ＭＬ２上の内外周に拘らずどの照射位置においても際立って大きいジッタを発生させ得ない。
【００６４】
さらに光ピックアップ１６では、光ビーム４０Ｂにおけるトラック接線方向の瞳端強度ＲＩｔが、光ディスク６０におけるスポットＳＰ２の照射位置が内周部にあるときよりも、外周部にあるときに大きくなるよう傾斜角度ＳＡｂを選定する。
【００６５】
これにより光ピックアップ１６では、スポットＳＰ２のトラック接線方向のスポット幅が、光ディスク６０の内周部よりも外周部において小さくなるようにすることができ、当該外周部において当該スポットＳＰ２のスポット幅が最も小さくなるようにし得、当該外周部における再生ＲＦ信号の精度を向上させ得る。
【００６６】
また、光ピックアップ１６では、光ディスク６０の内周部において、スポットＳＰ２のトラック法線方向の瞳端強度ＲＩｒを大きくでき、トラック法線方向のスポット幅を小さくすることができるため、スポットＳＰ２が隣接トラックにかかることに起因する再生ＲＦ信号の品質の低下を抑制することができる。
【００６７】
以上の構成によれば、本発明の光ピックアップ１６では、当該光ディスク６０の半径上から外れた第２の移動軸線ＭＬ２上を移動する第２対物レンズ３０Ｂから光ディスク６０の最外周のトラック上に光ビーム４０Ｂを照射したときに、当該光ディスク６０上のスポットＳＰ２におけるθ⊥軸とトラック接線ＴＬとの成す角であるフィル角ξが最適になるような最適フィル角ξａに基づいて、スポットＳＰ２における傾斜角度ＳＡｂを選定することにより、反りに起因するジッタの大きい光ディスクの外周部において、当該傾斜角度ＳＡｂに起因する再生ＲＦ信号のジッタを抑制することができ、かくして光ディスクの外周部における再生ＲＦ信号の品質低下を抑制し得る。
【００６８】
（５）他の実施の形態
なお上述の実施の形態においては、２つのレーザダイオード２０Ａ及び２０Ｂからそれぞれ波長の異なる２つのレーザ光が光ビーム４０Ａ及び４０Ｂとしてそれぞれ光路内へ出射されるようにした場合について述べたが、本発明はこれに限らず、１つのレーザダイオードから２つ以上の波長を有する複数波長光が光路内へ出射されるようにしても良い。この場合においても、傾斜角度ＳＡは、光ディスク６０の最外周のトラック上に光ビームの照射位置があるときの、第２対物レンズから照射されるスポットＳＰ２における最適フィル角ξａに基づいて選定される。
【００６９】
また上述の実施の形態においては、２つのレーザダイオード２０Ａ及び２０Ｂが一つの光路内へ出射されるようにした場合について述べたが、本発明はこれに限らず、当該レーザダイオード２０Ａ及び２０Ｂがそれぞれ別々の光路内へ出射され、当該別々の光路からそれぞれ第１対物レンズ３０Ａ及び第２対物レンズ３０Ｂを介して光ディスク６０に照射されるようにしても良い。
【００７０】
さらに上述の実施の形態においては、レーザダイオード２０Ｂを設置角度ＥＡｂだけ傾けることにより、Ｙ方向に対してスポットＳＰ２のθ⊥軸を傾斜角度ＳＡｂだけ傾けるようにした場合について述べたが、本発明はこれに限らず、光ピックアップ１６内の光路内において例えばアナモプリズムを設けたり、ミラーの角度を調整することによってスポットＳＰ２のθ⊥軸を傾斜角度ＳＡｂだけ傾けるようにしても良く、またこれら光路内におけるスポットＳＰ２の傾斜と設置角度ＥＡｂによるスポットＳＰ２の傾斜とを組み合わせるようにしても良い。
【００７１】
さらに上述の実施の形態においては、最適な傾斜角度ＳＡとして傾斜角度ＳＡａ＝２０°、傾斜角度ＳＡｂ＝１６．１°に選定されるようにした場合について述べたが、本発明はこれに限らず、光ピックアップ１６の性能や使用する光ディスク６０の種類などに応じて適宜最適な角度が選定される。
【００７２】
さらに上述の実施の形態においては、光ビーム４０ＢのスポットＳＰ２が最外周のトラック上にあるときに最適な傾斜角度ＳＡｂを選定するようにした場合について述べたが、本発明はこれに限らず、光ピックアップ１６の性能や使用する光ディスク６０の大きさや種類などに応じて最外周付近や最外周から所定距離以内程度の外周部において最適な傾斜角度ＳＡｂを選定するようにしても良い。
【００７３】
さらに上述の実施の形態においては、第２対物レンズを第１対物レンズに対してＹ方向の＋側（図６（Ｂ））に配置し、（３）式を満たすようにした場合について述べたが、本発明はこれに限らず、反対となるＹ方向の−側（図６）に第２対物レンズを配置するようにしても良い。この場合、最適フィル角ξａが次式（４）を満たすようにする。
【００７４】
【数４】
0004687974.tif 000005
【００７５】
これにより、実施形態のときと同様に光ビーム４０Ｂにおけるトラック接線方向の瞳端強度ＲＩｔが、光ディスク６０におけるスポットＳＰ２の照射位置が内周部にあるときよりも、外周部にあるときに大きくなるようにすることができ、外周部でトラック接線方向のスポット幅を小さくすることができる。
【００７６】
さらに上述の実施の形態においては、光ディスク６０におけるスポットＳＰ２のフィル角ξを実際に傾けていき、再生ＲＦ信号においてジッタが最小になる最適フィル角ξａに基づいて傾斜角度ＳＡｂを選定するようにした場合について述べたが、本発明はこれに限らず、例えばアイパターンの開口率が最も高くなるような傾斜角度ＳＡｂ、シチュートレランスの幅が最も大きくなるような傾斜角度ＳＡｂなど、その他種々の方法によって最適な傾斜角度ＳＡｂを選定することにより、照射位置が外周部にあるときの傾斜角度ＳＡｂに起因する再生ＲＦ信号等の再生信号の品質低下を抑制することができる。
【００７７】
さらに上述の実施の形態においては、第２対物レンズ３０Ｂ及び第１対物レンズ３０Ａは、光ディスク６０の半径方向に対して直角に、かつ一直線上に併置されるようにした場合について述べたが、本発明はこれに限らず、必ずしも直角に併置される必要はなく、第２対物レンズ３０Ｂは、光ディスク６０の回転中心６０ｃを通らない第２の移動軸線ＭＬ２上に配置されるようにすれば良い。
【００７８】
さらに上述の実施の形態においては、光ディスク６０の半径上を移動するＣＤ／ＤＶＤ用の第１対物レンズ３０Ａ及びブルーレイディスク用の第２対物レンズ３０Ｂを用いるようにした場合について述べたが、本発明はこれに限らず、第１対物レンズ３０Ａ及び第２対物レンズ３０Ｂが使用される光ディスク６０の種類には限定されない。また、対物レンズの配置も設計に応じて適宜変更でき、例えばブルーレイディスク用の第１対物レンズ３０Ａ及びＤＶＤ用の第２対物レンズ３０Ｂが使用されるようにしても良い。
【００７９】
さらに上述の実施の形態においては、レーザダイオードとしてのレーザダイオード２０Ａ及び２０Ｂと、第１の対物レンズとしての第１対物レンズ３０Ａと、第２の対物レンズとしての第２対物レンズ３０Ｂと、移動部としての送りモータ１５とによって光ピックアップとしての光ピックアップ１６や光ディスク装置としての光ディスクドライブ１０を構成するようにした場合について述べたが、本発明はこれに限らず、その他種々の構成でなる第１の対物レンズと、第２の対物レンズと、移動部とによって、光ピックアップや光ディスク装置を構成するようにしても良い。
【産業上の利用可能性】
【００８０】
本発明の光ピックアップ及び光ディスクドライブは、例えばブルーレイディスクやＤＶＤ、ＣＤ等、２種類以上の光ディスクに対応した光ディスクドライブに適用することができる。
【図面の簡単な説明】
【００８１】
【図１】光ディスクドライブの全体構成を示す略線図である。
【図２】光ピックアップの構成を示す略線図である。
【図３】レーザ光の放射角とスポットの形状の説明に供する略線図である。
【図４】レーザ光の強度分布を示す略線図である。
【図５】レーザダイオードの設定角度とスポットの形状の説明に供する略線図である。
【図６】対物レンズの配置を示す略線図である。
【図７】トラック接線の照射位置依存性の説明に供するフローチャートである。
【図８】トラック接線とスポットの説明に供する略線図である。
【図９】トラック接線とフィル角の説明に供する略線図である。
【図１０】瞳端強度と照射位置との関係を示す略線的グラフ（１）である。
【図１１】瞳端強度と照射位置との関係を示す略線的グラフ（２）である。
【図１２】対物レンズのＸ方向への配置を示す略線図である。
【図１３】対物レンズのＹ方向への配置を示す略線図である。
【符号の説明】
【００８２】
１０……光ディスクドライブ、１５……送りモータ、１７……ガイド軸、２０、２１……レーザダイオード、３０Ａ……第１対物レンズ、３０Ｂ……第２対物レンズ、４０……光ビーム、６０……光ディスク。
【図１】
0004687974.tif 000006
【図２】
0004687974.tif 000007
【図３】
0004687974.tif 000008
【図４】
0004687974.tif 000009
【図５】
0004687974.tif 000010
【図６】
0004687974.tif 000011
【図７】
0004687974.tif 000012
【図８】
0004687974.tif 000013
【図９】
0004687974.tif 000014
【図１０】
0004687974.tif 000015
【図１１】
0004687974.tif 000016
【図１２】
0004687974.tif 000017
【図１３】
0004687974.tif 000018